【事件の表示】
　平成　２年特許願第１００３２９号「表示装置および表示方法あるいは情報処理装置」拒絶査定に対する審判事件［平成　４年　１月　６日出願公開、特開平　４−　　　６８１］について、次のとおり審決する。
【結　論】
　本件審判の請求は、成り立たない。
【理　由】
１．手続の経緯・本願発明
　本願は、平成２年４月１８日の出願であって、その特許請求の範囲の請求項１に係る発明（以下「本願発明」という。）は、平成９年４月１８日付手続補正書、平成１１年１０月１２日付手続補正書及び平成１２年２月１８日付手続補正書によって補正された明細書及び図面の記載からみて、その特許請求の範囲の請求項１に記載された、
　「データを表示するディスプレイと、前記ディスプレイに表示すべきデータを格納している画像メモリと、前記ディスプレイに表示するカーソルパターンを格納しているパターンメモリと、前記パターンメモリの内容と前記画像メモリの内容とを重畳表示する位置を示すパターン表示位置指定データを保持する保持手段を備え、ディスプレイの任意の位置に前記パターンメモリの内容と前記画像メモリの内容とを重畳表示する重畳表示手段とを有し、前記重畳表示手段のパターン表示位置指示データを制御する制御手段と、前記パターンメモリが出力するパターンの表示位置を変更するための所定の操作があったことを検出する検出手段と、この検出手段と前記制御手段とにより１ヶ所以上の個所で前記画像メモリの内容と異なるパターンメモリのパターンを重畳して表示するために、前記パターンを表示する位置を表すパターン表示位置指示データを保持するレジスタとパターンを画像メモリの内容に重畳表示するための論理演算部とを有する組を複数個設けたことを特徴とする表示装置。」
にあるものと認める。
　
２．引用刊行物の記載事項
　これに対して、平成１１年７月２７日付拒絶理由通知書で引用された特開平１−１６９６２２号公報（以下、引用刊行物１という。）には、
「第４図はパーソナルコンピュータのマウスカーソル表示に関する部分の一構成例を示す概略ブロック図であって、１はマイクロプロセッサ（以下、ＣＰＵと称する）、２はシステムバス、３はマウス、４は座標カウンタで、マウス３から出力されるマウス３の移動量を示す移動情報９を入力とし、相対的な座標を示す。５はマウスカーソルのパターン（通常、「矢印」である）を記憶しているカーソルフォントメモリ、６はマウスカーソルの座標を記憶するレジスタ、７は表示データを記憶する表示メモリ、８はＬＣＤ等の表示デバイス、１０は座標情報で、具体的には相対的な座標値を示す。
　なお、１１はカーソルフォントである。
　また、第５図は第４図に示す構成を用いた時の処理の一例を示すフローチャートである。
　第４図，第５図において、まず、ＣＰＵ１は定期的に座標カウンタ４の座標情報１０を読み込み、システムバス２を経て、座標記憶レジスタ６に書き込む。マウス３が移動したとき、その移動情報９は即座に座標カウンタを更新するが、この動作は上述のＣＰＵ１の動作とは独立して行なわれる。
　その後、ＣＰＵ１はこの座標情報１０に従って、カーソルフォントメモリ５からカーソルフォント１１を読み出し、表示メモリ７へ書き込む。」（第２頁左上欄第１行〜同頁右上欄第４行）
「上記従来技術においては、ＬＣＤのように反応の遅い表示デバイスに、移動速度が速く、方向も任意なマウスカーソルを表示する点について配慮されておらず、マウスカーソルが見えなくなるという問題があった。
　本発明の目的は、ＬＣＤのような反応の遅い表示デバイスにマウスカーソルを見えるよう表示するようにした表示装置に関する。」（第２頁右上欄第１８行〜同頁左下欄第５行）
「第１図は本発明の一実施例のブロック図であって、１〜５，７〜９，１１は第４図に同一符号で示したものと同一である。１２は一つ前のマウスカーソル座標位置（以下、座標１と称す）の記憶レジスタで、１４はその座標１情報、１３は最新のマウスカーソル座標位置（以下、座標２と称す）の記憶レジスタで、１５はその座標２情報である。
　第２図は第１図に示す座標を用いた時の処理フローの一例を示したものである。第１図の基本的な動作は従来例（第４図）と同一であるので、第４図も用いつつ説明する。
　まず、ＣＰＵ１は座標１記憶レジスタ１２の座標１情報１４のカーソルを消去する。次に座標２記憶レジスタ１３の座標２情報１５を読み出し、新たな座標１情報１４として、座標１記憶レジスタ１２に書き込み、その位置でのマウスカーソル表示を従来例も同様に行なう。その後、座標カウンタ４から座標２情報１５を読み出し、従来例と同様に、座標２記憶レジスタへ書き込み、座標２情報１５の位置にもやはり従来例と同様に、カーソル表示を行なう。」（第２頁右下欄第６行〜第３頁左上欄第５行）
「又、本実施例の説明では、カーソル表示だけを考えたが、実際は図形データの上にカーソル表示ために、カーソルを消去した際に元の図形を復元しなくてはならない。これは、別に図形情報の退避エリアを設け、カーソル表示、消去の際に該図形情報の退避、復元を行なうことで解決できる。
　更に、上記説明では、軌跡上に同時表示するカーソルは２つであったが、座標記憶レジスタを３つ以上設け、同時に３つ以上のカーソルを表示しても良い。」（第３頁左下欄第１〜１０行）
と記載されると共に、第１図，第４図にブロック図、第２図，第５図にフローチャートが示されている。
　また、本願出願前に公開された特開昭６２−２８０８９５号公報（以下、周知例１という。）には、
「ＶＲＡＭから読み出され、ディスプレイへ送られるドットデータと、予め指定されたカーソルパターンとを、直接演算処理することにより、ＣＰＵやディスプレイ・コントローラによるラスタ演算なしに、カーソルのスムーズな移動を可能にしている。」（第１頁右下欄第１４〜１９行）
「第１図において、１０ないし１３は第５図図示のものに対応し、１４はカーソルパターンデータ記憶部、１５はカーソルパターンデータ記憶部１４から読み出されたデータをシリアル信号に変換して出力するシフトレジスタ、１６はカーソルパターンデータ記憶部１４からのデータ読み出し制御とシフトレジスタ１５の制御を行うタイミング制御回路、１７はシフトレジスタ１５の入力クロックの開始タイミングを調整するシフト制御回路、１８はＶＲＡＭ１２から読み出された表示用ドットデータとシフトレジスタ１５の出力データとを合成する演算回路である。」（第２頁右上欄第１８行〜同頁左下欄第９行）
と、
　本願出願前に公開された特開昭６１−１９０３９０号公報（以下、周知例２という。）には、
「プロセッサ１０はアドレスカウンタ１７を制御して、第２図に示す如きｍ×ｎビットの容量を持つ表示メモリ１８のデータを順次読出し、Ｐ／Ｓ（並／直）変換回路１９に送出する。Ｐ／Ｓ変換回路１９は並列信号を直列信号のビデオ信号に変換し、ＯＲ回路２０を経て表示部１３に送出して表示する。」（第２頁右下欄第１１〜１７行）
「カーソルデータメモリ２２から読出されたカーソルデータはＰ／Ｓ変換回路２１で直列のビデオ信号に変換され、ＯＲ回路２０を経てＰ／Ｓ変換回路１９のビデオ出力と重畳され、表示部１３に表示される。」（第３頁左下欄第１１〜１５行）
と記載されている。
　
３．対比
　そこで、本願発明と、引用刊行物１のものとを対比する。
　上記引用刊行物１は、「ＬＣＤのような反応の遅い表示デバイスにマウスカーソルを見えるよう表示するようにした」表示装置に関するものであり、本願発明の目的と同様の表示装置である。
　上記引用刊行物１の「表示デバイス８」、「表示メモリ７」、「カーソルフォント１１」は、本願発明の「ディスプレイ」、「画像メモリ」、「パターンメモリ」に対応する。
　上記引用刊行物１には「１２は一つ前のマウスカーソル座標位置（以下、座標１と称す）の記憶レジスタで、１４はその座標１情報、１３は最新のマウスカーソル座標位置（以下、座標２と称す）の記憶レジスタで、１５はその座標２情報である。」と記載されているから、上記引用刊行物１の「座標１記憶レジスタ１２」「座標２記憶レジスタ１３」は本願発明の「前記パターンメモリの内容」を「表示する位置を示すパターン表示位置指定データを保持する保持手段」に対応する。
　また、上記引用刊行物１には「ＣＰＵ１は座標１記憶レジスタ１２の座標１情報１４のカーソルを消去する。次に座標２記憶レジスタ１３の座標２情報１５を読み出し、新たな座標１情報１４として、座標１記憶レジスタ１２に書き込み、その位置でのマウスカーソル表示を従来例も同様に行なう。その後、座標カウンタ４から座標２情報１５を読み出し、従来例と同様に、座標２記憶レジスタへ書き込み、座標２情報１５の位置にもやはり従来例と同様に、カーソル表示を行なう。」と記載されているから、上記引用刊行物１の表示装置はパターン表示位置データであるレジスタの記憶内容を制御するものであり、したがって「パターン表示位置指示データを制御する制御手段」を有するものである。
　そして、上記引用刊行物１には「マウス３が移動したとき、その移動情報９は即座に座標カウンタを更新する」と記載されているから、パターンの表示位置を変更するための手段であるマウスの操作があったことを検出し、その操作に応じてカウンタを更新することは明らかであるから、上記引用刊行物１は「前記パターンメモリが出力するパターンの表示位置を変更するための所定の操作があったことを検出する検出手段」を有するものである。
　更に、上記引用刊行物１には、「まず、ＣＰＵ１は座標１記憶レジスタ１２の座標１情報１４のカーソルを消去する。次に座標２記憶レジスタ１３の座標２情報１５を読み出し、新たな座標１情報１４として、座標１記憶レジスタ１２に書き込み、その位置でのマウスカーソル表示を従来例も同様に行なう。その後、座標カウンタ４から座標２情報１５を読み出し、従来例と同様に、座標２記憶レジスタへ書き込み、座標２情報１５の位置にもやはり従来例と同様に、カーソル表示を行なう。」、「上記説明では、軌跡上に同時表示するカーソルは２つであったが、座標記憶レジスタを３つ以上設け、同時に３つ以上のカーソルを表示しても良い。」と記載されているから、上記引用刊行物１の「座標１記憶レジスタ１２」、「座標２記憶レジスタ１３」は本願発明の「前記パターンを表示する位置を表すパターン表示位置指示データを保持するレジスタ」に対応し、上記引用刊行物１の表示装置も、「１ヶ所以上の個所で前記画像メモリの内容と異なるパターンメモリのパターンを重畳して表示するために、前記パターンを表示する位置を表すパターン表示位置指示データを保持するレジスタを複数個設けた」ものである。
　したがって両者は、「データを表示するディスプレイと、前記ディスプレイに表示すべきデータを格納している画像メモリと、前記ディスプレイに表示するカーソルパターンを格納しているパターンメモリと、前記パターンメモリの内容を表示する位置を示すパターン表示位置指定データを保持する保持手段を備え、前記パターン表示位置指示データを制御する制御手段と、前記パターンメモリが出力するパターンの表示位置を変更するための所定の操作があったことを検出する検出手段と、この検出手段と前記制御手段とにより１ヶ所以上の個所で前記画像メモリの内容と異なるパターンメモリのパターンを表示するために、前記パターンを表示する位置を表すパターン表示位置指示データを保持するレジスタを複数個設けたことを特徴とする表示装置。」で一致し、次の点で相違する。
　
（相違点）
　本願発明のものは、「前記パターンメモリの内容と前記画像メモリの内容とを重畳表示する重畳表示手段」を有するものであり、「制御手段」は該重畳表示手段からのパターン表示位置指示データを制御し、また、「パターンを画像メモリの内容に重畳表示するための論理演算部を有する」のに対して、上記引用刊行物１には「重畳表示」及びそのための「制御手段」、「論理演算部」について記載されていない点。
　
４．当審の判断
　そこで、上記相違点を検討する。
　上記周知例１，２に記載されるように、「カーソル」を表示するに当たり、「カーソルデータ」と「表示データ」の論理演算を行い、該演算結果に基づいて表示を行うことにより、「カーソルデータ」と「表示データ」を重畳して表示することは、本願出願前周知の技術である。
　従って、上記引用刊行物１に記載された表示装置において重畳表示を行うようにすることは上記周知技術を勘案して当業者が適宜なし得ることであって、またその際、「カーソルデータ」と「表示データ」を重畳表示するための論理演算部を、表示させる「カーソル」の数だけ、レジスタに対応して設けると共に、表示手段及び制御手段を重畳表示に対応させることは、上記周知技術を上記引用刊行物１に適用することに伴って、当然に出てくる技術的事項にすぎないから、上記相違点は当業者が容易になし得ることである。
　また、本願発明の構成により、格別な作用効果を奏するものでもない。
　
５．むすび
　したがって、本願発明は上記引用刊行物１に記載された発明及び周知技術に基づき当業者が容易に発明をすることができたものであるから、特許法第２９条第２項の規定により特許を受けることができない。
　
　よって、結論のとおり審決する。